(57)【要約】      （修正有）【課題】簡易な構成・方式により１素子で３軸角速度を検出することを可能とする、多軸検出角速度センサ構造を提供すること。【解決手段】多軸検出角速度センサ構造１０は、１個の矩形状の圧電体２により多軸角速度を検出可能とするものであり、圧電体２には、最外縁が同一面内で伸縮する輪郭振動を駆動振動として自励発振させるための駆動部３と、各軸の角速度により発生する振動に基づき複数の電気信号を取り出す検出部５とが設けられている構成である。複数の電気信号は、各軸の角速度を得るための演算処理に供される。【選択図】図１
2015203627.tif 000002
【特許請求の範囲】
【請求項１】
矩形状の圧電体１個により多軸角速度を検出可能とする多軸検出角速度センサ構造であって、該圧電体には、最外縁が同一面内で伸縮する輪郭振動を駆動振動として自励発振させるための駆動部と、各軸の角速度により発生する振動に基づき複数の電気信号を取り出す検出部とが設けられている、多軸検出角速度センサ構造。
【請求項２】
前記複数の電気信号は各軸の角速度を得るための演算処理に供されることを特徴とする、請求項１に記載の多軸検出角速度センサ構造。
【請求項３】
前記圧電体上において、前記駆動部は表裏各面の外縁部をなして、また前記検出部はその内側に設けられることを特徴とする、請求項１または２に記載の多軸検出角速度センサ構造。
【請求項４】
前記検出部は複数の検出区画から構成され、各検出区画は所定配置された複数の検出電極を備えて構成され、また、各検出区画は前記電気信号の数と同数以上設けられていることを特徴とする、請求項１ないし３のいずれかに記載の多軸検出角速度センサ構造。
【請求項５】
前記各検出区画から前記各電気信号が取り出されることを特徴とする、請求項４に記載の多軸検出角速度センサ構造。
【請求項６】
前記駆動部は、前記圧電体の表裏各面に同数ずつ設けられた駆動電極からなり、表裏を含め隣接する各駆動電極間は、逆位相となるように配置されていることを特徴とする、請求項１ないし５のいずれかに記載の多軸検出角速度センサ構造。
【請求項７】
Ｘ、Ｙ、Ｚ３軸の角速度を検出する多軸検出角速度センサ構造であって、前記検出部は、Ｘ軸周りの角速度により発生するＸ軸を対称軸としたＺ軸方向の振動（Ｘ軸検出振動）、Ｙ軸周りの角速度により発生するＹ軸を対称軸としたＺ軸方向の振動（Ｙ軸検出振動）、およびＺ軸周りの角速度により発生する矩形の隣接し合う角が逆位相となるＺ軸方向の振動（Ｚ軸検出振動）を電気信号に変換することを特徴とする、請求項１ないし６のいずれかに記載の多軸検出角速度センサ構造。
【請求項８】
前記検出部はＸ、Ｙの２方向性をもって配置された４の検出区画から構成され、各検出区画は所定配置された複数の検出電極を備えて構成され、各検出区画から前記各電気信号が取り出されることを特徴とする、請求項７に記載の多軸検出角速度センサ構造。
【請求項９】
Ｘ軸を対称軸とした位相の正逆に基づいて前記電気信号の演算によりＸ軸角速度が検出され、Ｙ軸を対称軸とした位相の正逆に基づいて該電気信号の演算によりＹ軸角速度が検出され、Ｚ軸上に点対称の中心をおいた場合の位相の正逆に基づいて該電気信号の演算によりＺ軸角速度が検出されることを特徴とする、請求項８に記載の多軸検出角速度センサ構造。
【請求項１０】
前記検出部は複数の検出区画から構成され、各検出区画は、表面に設けられた１の検出電極ならびに基準電位用検出電極、および裏面に設けられた１の検出電極から構成されていることを特徴とする、請求項１ないし９のいずれかに記載の多軸検出角速度センサ構造。
【請求項１１】
前記裏面の検出電極は前記表面の２の検出電極のうち一方と結線されていることを特徴とする、請求項１０に記載の多軸検出角速度センサ構造。
【請求項１２】
前記圧電体は裏面に錘構造を備えていることを特徴とする、請求項１ないし１１のいずれかに記載の多軸検出角速度センサ構造。
【請求項１３】
前記圧電体はその厚み方向に分極反転が形成されていることを特徴とする、請求項１ないし１２のいずれかに記載の多軸検出角速度センサ構造。
【請求項１４】
前記検出部は複数の検出区画から構成され、各検出区画は表裏各面に設けられた検出電極から構成されており、基準電位用検出電極の設置が不要であることを特徴とする、請求項１３に記載の多軸検出角速度センサ構造。
【請求項１５】
請求項１ないし１４のいずれかに記載の多軸検出角速度センサ構造を備えた、多軸検出角速度センサ。
【請求項１６】
矩形状の圧電体１個により多軸角速度を検出可能とする多軸検出角速度センサ用のセンサ素子基体であって、最外縁が同一面内で伸縮する輪郭振動を駆動振動として自励発振させるための駆動部が該圧電体の表裏各面の外縁をなして設けられており、該駆動部は該圧電体の表裏各面に同数ずつ設けられた駆動電極からなり、表裏を含め隣接する各駆動電極間は、逆位相となるように配置されていることを特徴とする、センサ素子基体。
【発明の詳細な説明】
【技術分野】
【０００１】
本発明は多軸検出角速度センサ構造、多軸検出角速度センサ、およびセンサ素子基体に係り、特に、簡易な構成・方式により１素子で３軸角速度を検出することを可能にする、多軸検出角速度センサ構造等に関するものである。
【背景技術】
【０００２】
角速度を検出することにより、運動計測、位置制御等の様々な情報が得られる。角速度センサは、たとえば自動車の次世代安全装置であるＡＳＶ（先進安全自動車）やＦＡ用途のロボットアーム制御などに利用され、今後も市場拡大が見込まれている。
【０００３】
従来、圧電型角速度センサにおいて、多軸の角速度を検出するためには、複数のセンサ素子を検出軸分だけ用い、各軸周りの角速度を分離し、１軸、２軸または３軸角度速度の検出を行っている。また、ＭＥＭＳ（Ｍｉｃｒｏ  Ｅｌｅｃｔｒｏ  Ｍｅｃｈａｎｉｃａｌ  Ｓｙｓｔｅｍｓ）技術の躍進により、半導体材料であるＳｉを母材にして、１素子で１軸、２軸または３軸角速度の検出を行うことのできるセンサも開発されている。
【０００４】
また、多軸角速度検出に関しては特許出願もなされている。たとえば後掲特許文献１には、１つの振動子で、コリオリ力を利用して３軸方向の角速度を検出可能とすることを目的とした、３軸角速度検出振動子、３軸角速度検出装置および３軸角速度検出システムが開示されている。これは、正方形状に配置された４本の振動アームと、正方形状の頂点より対角線方向に伸びた４本の検出アームとを備え、４本の振動アームの振動によって生じる検出アームの形状の歪みを検知して、振動アームに加わった３軸角速度を検出する振動子である。そして、ｚ軸を回転軸として振動アームが回転した場合には、ｚ軸方向と垂直なｘ−ｙ方向に働くコリオリ力により発生する検出アームの形状の歪みを検出し、ｘ（ｙ）軸方向を回転軸として振動アームが回転した場合には、ｚ軸方向に働くコリオリ力により発生する検出アームの形状の歪みを検出する、というものである。
【先行技術文献】
【特許文献】
【０００５】
【特許文献１】特開２０１０−２６６２７６号公報「３軸角速度検出振動子、３軸角速度検出装置および３軸角速度検出システム」
【発明の概要】
【発明が解決しようとする課題】
【０００６】
さて、従来の圧電型角速度センサは、上述のとおり、多軸感度を実現するために検出軸の軸数分だけ角速度センサが必要となり、多軸角速度センサを構成する際の小型化、低コスト化において問題があった。一方、ＭＥＭＳによる角速度センサは、高額な製造設備を必要とすることから、製品化に向けては大きな資本力を必要とし、大量生産しない限り製造コストを抑える手段の無いものであった。また、ＭＥＭＳで主流の静電容量型の角速度センサは、衝撃によるスティッキング現象によりセンサ部が動作しなくなるという問題点もある。
【０００７】
したがって、より簡便な構成・方式によって、軸数分のセンサを揃えることを要せずに、しかもＭＥＭＳ技術を用いることもなく、１素子のみによる角速度センサを提供できれば、小型化、低コスト化の要求を効果的に満たすことができる。なお上記文献開示技術では、細いアームの連結によって振動子を形成したり、またアームの屈曲を駆動振動のモードとして利用しているが、より簡易な構成・方式であることが望ましい。
【０００８】
そこで本発明が解決しようとする課題は、かかる従来技術の問題点を踏まえ、簡易な構成・方式により１素子で３軸角速度を検出することを可能とする、多軸検出角速度センサ構造、多軸検出角速度センサ、およびセンサ素子基体を提供することである。そしてこれにより、小型化、低コスト化することのできる、多軸検出角速度センサ構造等を提供することである。
【課題を解決するための手段】
【０００９】
本願発明者は上記課題について検討した結果、圧電体を用い、最外縁が同一面内で伸縮する輪郭振動（以下、単に「輪郭振動」）を駆動振動に利用し、複数の検出電極の結線組み合わせによる簡便な方法により、１素子で多軸角速度を独立に検出する小型角速度センサを実現できることを見出した。つまり、下記ア）〜カ）の各事項を確認することができた。
ア）  矩形状の圧電体の表裏面に複数の駆動電極と複数の検出電極を形成し、輪郭振動を駆動振動として自励発振させ（Ｘ−Ｙ面内の振動）、３軸各々の角速度により発生する３軸各々の検出振動を電気信号として取り出す複数の検出電極を共通化することにより、多軸化とセンサ素子の小型化を両立できること。
【００１０】
イ）  駆動電極は表裏逆位相とし、四辺の対向する辺に配置した電極同士は同位相とし、他方の対向する辺に配置した駆動電極は前記電極とは逆位相の関係とすることで、安定した駆動振動を発生させられること。
ウ）  複数の検出電極は３軸角速度検出用として共通電極とし、結線方法、演算方法により３軸角速度を分離できること。
エ）  具体的には、Ｙ軸方向に逆位相の検出電極の結線構造によりＸ軸角速度を、Ｘ軸方向に逆位相の検出電極の結線構造によりＹ軸角速度を、そしてＺ軸上に点対称の中心をおいた場合の逆位相の結線構造によりＺ軸角速度を、それぞれ検出できること。
【００１１】
オ）  錘つきの構造とすることで矩形形状より慣性力を大きくし高感度化できること。
カ）  分極反転の利用による電極面積の拡大により、高感度化できること。
そしてこれらの事項に基づいて、最終的に本発明を完成するに至った。すなわち、上記課題を解決するための手段として本願で特許請求される発明、もしくは少なくとも開示される発明は、以下の通りである。
【００１２】
〔１〕  矩形状の圧電体１個により多軸角速度を検出可能とする多軸検出角速度センサ構造であって、該圧電体には、最外縁が同一面内で伸縮する輪郭振動を駆動振動として自励発振させるための駆動部と、各軸の角速度により発生する振動に基づき複数の電気信号を取り出す検出部とが設けられている、多軸検出角速度センサ構造。
〔２〕  前記複数の電気信号は各軸の角速度を得るための演算処理に供されることを特徴とする、〔１〕に記載の多軸検出角速度センサ構造。
【００１３】
〔３〕  前記圧電体上において、前記駆動部は表裏各面の外縁部をなして、また前記検出部はその内側に設けられることを特徴とする、〔１〕または〔２〕に記載の多軸検出角速度センサ構造。
〔４〕  前記検出部は複数の検出区画から構成され、各検出区画は所定配置された複数の検出電極を備えて構成され、また、各検出区画は前記電気信号の数と同数以上設けられていることを特徴とする、〔１〕ないし〔３〕のいずれかに記載の多軸検出角速度センサ構造。
〔５〕  前記各検出区画から前記各電気信号が取り出されることを特徴とする、〔４〕に記載の多軸検出角速度センサ構造。
【００１４】
〔６〕  前記駆動部は、前記圧電体の表裏各面に同数ずつ設けられた駆動電極からなり、表裏を含め隣接する各駆動電極間は、逆位相となるように配置されていることを特徴とする、〔１〕ないし〔５〕のいずれかに記載の多軸検出角速度センサ構造。
〔７〕  Ｘ、Ｙ、Ｚ３軸の角速度を検出する多軸検出角速度センサ構造であって、前記検出部は、Ｘ軸周りの角速度により発生するＸ軸を対称軸としたＺ軸方向の振動（Ｘ軸検出振動）、Ｙ軸周りの角速度により発生するＹ軸を対称軸としたＺ軸方向の振動（Ｙ軸検出振動）、およびＺ軸周りの角速度により発生する矩形の隣接し合う角が逆位相となるＺ軸方向の振動（Ｚ軸検出振動）を電気信号に変換することを特徴とする、〔１〕ないし〔６〕のいずれかに記載の多軸検出角速度センサ構造。
〔８〕  前記検出部はＸ、Ｙの２方向性をもって配置された４の検出区画から構成され、各検出区画は所定配置された複数の検出電極を備えて構成され、各検出区画から前記各電気信号が取り出されることを特徴とする、〔７〕に記載の多軸検出角速度センサ構造。
【００１５】
〔９〕  Ｘ軸を対称軸とした位相の正逆に基づいて前記電気信号の演算によりＸ軸角速度が検出され、Ｙ軸を対称軸とした位相の正逆に基づいて該電気信号の演算によりＹ軸角速度が検出され、Ｚ軸上に点対称の中心をおいた場合の位相の正逆に基づいて該電気信号の演算によりＺ軸角速度が検出されることを特徴とする、〔８〕に記載の多軸検出角速度センサ構造。
〔１０〕  前記検出部は複数の検出区画から構成され、各検出区画は、表面に設けられた１の検出電極ならびに基準電位用検出電極、および裏面に設けられた１の検出電極から構成されていることを特徴とする、〔１〕ないし〔９〕のいずれかに記載の多軸検出角速度センサ構造。
〔１１〕  前記裏面の検出電極は前記表面の２の検出電極のうち一方と結線されていることを特徴とする、〔１０〕に記載の多軸検出角速度センサ構造。
【００１６】
〔１２〕  前記圧電体は裏面に錘構造を備えていることを特徴とする、〔１〕ないし〔１１〕のいずれかに記載の多軸検出角速度センサ構造。
〔１３〕  前記圧電体はその厚み方向に分極反転が形成されていることを特徴とする、〔１〕ないし〔１２〕のいずれかに記載の多軸検出角速度センサ構造。
〔１４〕  前記検出部は複数の検出区画から構成され、各検出区画は表裏各面に設けられた検出電極から構成されており、基準電位用検出電極の設置が不要であることを特徴とする、〔１３〕に記載の多軸検出角速度センサ構造。
【００１７】
〔１５〕  〔１〕ないし〔１４〕のいずれかに記載の多軸検出角速度センサ構造を備えた、多軸検出角速度センサ。
〔１６〕  矩形状の圧電体１個により多軸角速度を検出可能とする多軸検出角速度センサ用のセンサ素子基体であって、最外縁が同一面内で伸縮する輪郭振動を駆動振動として自励発振させるための駆動部が該圧電体の表裏各面の外縁をなして設けられており、該駆動部は該圧電体の表裏各面に同数ずつ設けられた駆動電極からなり、表裏を含め隣接する各駆動電極間は、逆位相となるように配置されていることを特徴とする、センサ素子基体。
【発明の効果】
【００１８】
本発明の多軸検出角速度センサ構造、多軸検出角速度センサ、およびセンサ素子基体は上述のように構成されるため、これによれば、簡易な構成・方式により１素子で３軸角速度を検出することができる。そしてこれにより、多軸検出角速度センサを小型化、低コスト化することができる。つまり本発明は、駆動振動として最外縁が同一面内で伸縮する輪郭振動を用い、３軸周りの角速度検出用電極を共通化し、検出電極間の結線構造に基づき演算処理を施すという簡便な構成・方式によって、１素子で、３軸角速度を独立に検出することができる。
【図面の簡単な説明】
【００１９】
【図１】本発明の多軸検出角速度センサ構造の基本構成を概念的に示す説明図である。
【図２】本発明の多軸検出角速度センサ構造における駆動振動と検出振動についての説明図である。
【図３】本発明の多軸検出角速度センサ構造の構成例を示す斜視図である。
【図４】図３に示した構成例における検出部構成を示す説明図である。
【図５Ａ】第一実施形態の構成を示す平面図である。
【図５Ｂ】第一実施形態の構成を示す裏面図である（平面図方向からの透視図）。
【図６】図５Ａのａ−ａ’断面図と結線構造を併せ示した図である。
【図７】検出振動時に各検出電極（メイン電極）に現れる信号位相の関係を示した表である。
【図８】図５Ａのｂ−ｂ’断面図と結線構造を併せ示した図である。
【図９】図８の（ｄ）−１について全検出電極（検出区画）の結線構造を示した説明図である。
【図９−２】図８の（ｄ）−２について全検出電極（検出区画）の結線構造を示した説明図である。
【図１０】図９に示した結線構造の場合の信号処理システム例を示すブロック図である。
【図１１】第一実施形態における駆動電極のインピーダンス応答をシミュレーションしたグラフである。
【図１２】第一実施形態におけるＸ軸周りの角速度検出用の検出電極のインピーダンス応答をシミュレーションしたグラフである。
【図１３】第一実施形態におけるＹ軸周りの角速度検出用の検出電極のインピーダンス応答をシミュレーションしたグラフである。
【図１４】第一実施形態におけるＺ軸周りの角速度検出用の検出電極のインピーダンス応答をシミュレーションしたグラフである。
【図１５】第二実施形態の構成を示す斜視図である。
【図１６Ａ】第三実施形態の構成を示す斜視図である。
【図１６Ｂ】図１６ＡのＣ−Ｃ’断面図である。
【発明を実施するための形態】
【００２０】
以下、図面により本発明を詳細に説明する。
図１は、本発明の多軸検出角速度センサ構造の基本構成を概念的に示す説明図である。図示するように本多軸検出角速度センサ構造１０は、１個の矩形状の圧電体２（以下、「矩形板」ともいう。）により多軸角速度を検出可能とする多軸検出角速度センサ構造であり、圧電体２には、最外縁が同一面内で伸縮する輪郭振動を駆動振動として自励発振させるための駆動部３と、各軸の角速度により発生する振動に基づき複数の電気信号を取り出す検出部５とが設けられていることを、基本的な構成とする。
【００２１】
つまり本発明の多軸検出角速度センサ構造１０では、単純な板状の圧電体によって振動子が形成されている。なお、複数の電気信号は、各軸の角速度を得るための演算処理に供されるものであるが、これについては追って詳述する。
【００２２】
図２は、本発明の多軸検出角速度センサ構造における駆動振動と検出振動について、圧電体を用いて説明する図である。センサ素子に使用する圧電体は、電気信号を機械振動に変換し、また、機械振動を電気信号に変換する機能を有する。まず図２中の（ａ）は、駆動部の自励発振に使われる、最外縁が同一面内で伸縮する輪郭振動を説明するものである。ここに示すように、圧電体に形成した駆動電極（図示せず）に電圧を印加することにより、電気信号を機械振動に変換させ、矩形板の四辺の対向する２辺が平面（Ｘ−Ｙ面）で広がる方向に伸び、他方の対向する２辺が矩形板の中心方向に縮み、互いに伸縮を繰り返す輪郭振動が発生する。この振動を、駆動振動という。
【００２３】
ここで、Ｘ軸周りの角速度（ωｘ）が印加されると、コリオリ力により図２中の（ｂ）のようにＸ軸の中心線を対称軸としたＺ軸方向への振動が発生する。この振動をＸ軸検出振動という。また、Ｙ軸周りの角速度（ωｙ）が印加されると、コリオリ力により図２中の（ｃ）のようにＹ軸の中心線を対称軸としたＺ軸方向への振動が発生する。この振動をＹ軸検出振動という。さらに、Ｚ軸周りの角速度（ωｚ）が印加されると、コリオリ力により図２中の（ｄ）のように矩形板の対向する４角が逆位相のＺ軸方向の振動が発生する。この振動をＺ軸検出振動という。
【００２４】
圧電体に形成した検出電極（図示せず）で、前述３軸角速度の検出振動（機械振動）を電気信号に変換された形で検出することにより、３軸角速度を検知することができる（なお、矩形板の長手方向をＹ軸、幅方向をＸ軸、厚み方向をＺ軸とする。以下において同じ）。
【００２５】
つまり本発明の多軸検出角速度センサ構造１０における検出部５は、各軸の角速度により発生する下記各振動を、電気信号に変換する。
Ｘ軸検出振動：Ｘ軸周りの角速度により発生するＸ軸を対称軸としたＺ軸方向の振動
Ｙ軸検出振動：Ｙ軸周りの角速度により発生するＹ軸を対称軸としたＺ軸方向の振動
Ｚ軸検出振動：Ｚ軸周りの角速度により発生する矩形の隣接し合う角が逆位相となるＺ軸方向の振動
このようにして多軸検出角速度センサ構造１０により、Ｘ、Ｙ、Ｚ３軸の角速度が検出される。
【００２６】
図３は、本発明の多軸検出角速度センサ構造の構成例を示す斜視図である。図中、（ａ）に表面（＋Ｚ面）、（ｂ）に裏面（−Ｚ面））を示す。図示するように本多軸検出角速度センサ構造２１０は、圧電体上において、駆動部２３ａ、２３ｂはそれぞれ表裏各面の外縁部をなして形成され、また検出部２５ａ、２５ｂはそれぞれその内側に設けられた構成とすることができる。つまり本多軸検出角速度センサ構造２１０は、圧電体の矩形板の表裏各面に、駆動部２３ａ等と検出部２５ａ等を配置した構成である。
【００２７】
また本多軸検出角速度センサ構造２１０の駆動部２３ａ等は、圧電体の表裏各面に同数ずつ設けられた駆動電極２４１、２４２、２４５、２４６、・・・等からなり、表裏を含め隣接する各駆動電極２４１等の間は、逆位相となるように配置されていることを特徴的な構成とする。なお、裏面の中央部付近には、本センサ構造２１０（矩形板）をセラミックパッケージ等に実装する際の固定部（接着部）２９が設けられる。また、本センサ構造２１０（矩形板）にに用いる圧電体材料としては、たとえばＬｉＮｂＯ３や水晶を好適に用いるものとすることができる。
【００２８】
図４は、図３に示した構成例における検出部構成を示す説明図である。このうち（ａ）は平面図、（ｂ）は（ａ）中Ｄ３の破線部分の断面図である。これらに示すように本多軸検出角速度センサ構造４１０の検出部は、複数の検出区画４６１、４６２等から構成され、各検出区画４６１等は所定配置された複数の検出電極４６３１、４６３２等を備えて構成される。また、各検出区画４６１等は電気信号の数と同数以上設けられている構成である。なお、図中Ｄ１は検出区画４６１、Ｄ２は検出区画４６２、Ｄ３は検出区画４６３、Ｄ４は検出区画４６４である。各検出区画４６１（Ｄ１）等から各電気信号が取り出され、上述のとおり各軸の角速度を得るための演算処理に供される。
【００２９】
本図構成例のように本多軸検出角速度センサ構造４１０の検出部は、Ｘ、Ｙの２方向性をもって配置された４つの検出区画４６１（Ｄ１）等から構成されたものとすることができる。そして、各検出区画４６１（Ｄ１）等から各電気信号が取り出され、上述のとおり各軸の角速度を得るための演算処理に供される。
【実施例】
【００３０】
以下、本発明を実施形態に即し説明するが、本発明がかかる例に限定されるものではない。なお各実施形態は、図３および４にて説明した本発明構成例を基礎とするため、以下の説明ではこれらの図も参照する場合がある。
＜１．本発明多軸検出角速度センサ構造の第一実施形態＞
図５Ａ、５Ｂは、第一実施形態の構成を示す平面図および裏面図である。ただし後者は、平面図方向からの透視図として示す。図示するように駆動電極は位相が相互に逆であるＤｒ１、Ｄｒ２を、同一面上では交互に隣接させて、異なる面上でも対向するように配置する構成である。
【００３１】
本第一実施形態における検出部は、検出区画Ｄｅｔ１〜Ｄｅｔ４から構成され、各検出区画Ｄｅｔ１等は、表面に設けられた１の検出電極Ｄｅｔ１（＋）等、ならびに基準電位用検出電極Ｄｅｔ１’（＋）等、および裏面に設けられた１の検出電極Ｄｅｔ１（−）等から構成される。これらを検出電極の種類ごとに記載すると下記のとおりである。
検出電極（＋面）：Ｄｅｔ１（＋）〜Ｄｅｔ４（＋）  なお、メイン電極とも称する。
検出電極（＋面，基準電位）：Ｄｅｔ１’（＋）〜Ｄｅｔ４’（＋）
検出電極（−面）：Ｄｅｔ１（−）〜Ｄｅｔ４（−）
なお、以下、「検出区画Ｄｅｔ１〜Ｄｅｔ４」を「検出電極Ｄｅｔ１〜Ｄｅｔ４」と称して説明する。
【００３２】
図６は、図５Ａのａ−ａ’断面図と結線構造を併せ示した図である。図示するように、表裏各面において対応（対向）する駆動電極Ｄｒ１、Ｄｒ２を逆位相とすることで、対向する二辺同士（たとえば、表面（＋Ｚ面）のＤｒ１同士またはＤｒ２同士における二辺同士）は、Ｘ−Ｙ平面方向の伸縮が同じ位相で、かつ、Ｄｒ１とＤｒ２は互いに逆位相の伸縮となることから、図２で説明した輪郭振動、すなわち一方が伸び他方が縮む駆動振動が発生する。
【００３３】
図７は、検出振動時に各検出電極（メイン電極）に現れる信号位相の関係を示した表である。つまり、駆動振動を発生させた状態で、各軸周りの角速度を印加した時の検出電極（メイン電極）Ｄｅｔ１（＋）〜Ｄｅｔ４（＋）に発生する電気信号の位相の関係を示したものである。この位相の関係を利用して、結線された各検出電極Ｄｅｔ１〜Ｄｅｔ４に基づいて、下式（１）〜（３）による電気信号の演算を行うことで、３軸の角速度を分離することができる。したがって、３軸分について独立に検出電極を設ける必要が無く、小型化が可能となる。
【００３４】
Ｘ軸角速度ωｘ印加時の出力＝（Ｄｅｔ２＋Ｄｅｔ３）−（Ｄｅｔ１＋Ｄｅｔ４）・・・式（１）
Ｙ軸角速度ωｙ印加時の出力＝（Ｄｅｔ１＋Ｄｅｔ２）−（Ｄｅｔ３＋Ｄｅｔ４）・・・式（２）
Ｚ軸角速度ωｚ印加時の出力＝（Ｄｅｔ２＋Ｄｅｔ４）−（Ｄｅｔ１＋Ｄｅｔ３）・・・式（３）
【００３５】
換言すれば本発明の多軸検出角速度センサ構造は、Ｘ軸を対称軸とした位相の正逆に基づいて電気信号の演算によりＸ軸角速度が検出され、Ｙ軸を対称軸とした位相の正逆に基づいて電気信号の演算によりＹ軸角速度が検出され、Ｚ軸上に点対称の中心をおいた場合の位相の正逆に基づいて電気信号の演算によりＺ軸角速度が検出されるものである。
【００３６】
図８は、図５Ａのｂ−ｂ’断面図と結線構造を併せ示した図である。なお結線構造例として、（ｄ）−１、（ｄ）−２  の２つを示した。まず（ｄ）−１は、裏面（−Ｚ面）の検出電極（Ｄｅｔ１（−）〜Ｄｅｔ４（−））を基準電位Ｄｅｔ１’（＋）〜Ｄｅｔ４’（＋）と同位相にした場合であり、Ｄｅｔ１（＋）〜Ｄｅｔ４（＋）とＤｅｔ１（−）〜Ｄｅｔ４（−）のＺ軸方向の電界を利用した例である。
【００３７】
他方（ｄ）−２は、裏面（−Ｚ面）の検出電極（Ｄｅｔ１（−）〜Ｄｅｔ４（−））を表面（＋Ｚ面）の検出電極Ｄｅｔ１（＋）〜Ｄｅｔ４（＋）と同位相とした場合であり、Ｄｅｔ１（−）〜Ｄｅｔ４（−）と基準電位Ｄｅｔ１’（＋）〜Ｄｅｔ４’（＋）のＺ軸方向の電界を利用した例である。このように本発明の多軸検出角速度センサ構造では、裏面の検出電極が、表面の２つの検出電極のうち一方と結線された構造とすることができる。
【００３８】
図９は、図８の（ｄ）−１について全検出電極（検出区画）の結線構造を示した説明図である。また、
図９−２は、図８の（ｄ）−２について全検出電極（検出区画）の結線構造を示した説明図である。なお、各図中のＤ１〜Ｄ４は、各検出電極（検出区画）を示したものである（図４参照）。これらに示すように、各検出電極（検出区画）Ｄ１〜Ｄ４において発生する４つの信号は、前出図７に示した関係に基づいてＸ軸角速度（ωｘ）、Ｙ軸角速度（ωｙ）、Ｚ軸角速度（ωｚ）に対応する。これら４つの信号を演算処理することによって、１軸分の検出電極で３軸の角速度を独立に検出することができる。
【００３９】
各検出電極（検出区画）Ｄ１〜Ｄ４から得られた各信号の信号処理（演算処理）について説明する。
・Ｘ軸角速度（ωｘ）印加：Ｄｅｔ２、Ｄｅｔ３同士が同位相（＋）、またＤｅｔ１、Ｄｅｔ４同士が同位相（−）の信号である。（−ωｘ）の時には符号が反転する。
同位相同士を加算し、逆位相の信号を減算することで、Ｘ軸角速度の検出が可能となる（上記の式（１））。
【００４０】
・Ｙ軸角速度（ωｙ）印加：Ｄｅｔ１、Ｄｅｔ２同士が同位相（＋）、Ｄｅｔ３、Ｄｅｔ４同士が同位相（−）の信号である。なお、（−ωｙ）の時は符号が反転する。
同位相同士を加算し、逆位相の信号を減算することで、Ｙ軸角速度の検出が可能となる（上記の式（２））。
【００４１】
・Ｚ軸角速度（ωｚ）印加：Ｄｅｔ２、Ｄｅｔ４同士が同位相（＋）、Ｄｅｔ１、Ｄｅｔ３同士が同位相（−）の信号である。なお、（−ωｚ）の時は符号が反転する。
同位相同士を加算し、逆位相の信号を減算することで、Ｚ軸角速度の検出が可能となる（上記の式（３））。
【００４２】
図１０は、図９に示した結線構造の場合の信号処理システム（演算処理システム）例を示すブロック図である。なお信号処理システムの構成は、たとえば電気回路、ソフトウェアのいずれであってもよい。また両者の複合でもよい等、具体的構成は限定されない。このような信号処理システム（演算処理システム）を用いることにより、Ｘ、Ｙ、Ｚ軸の角速度検出について、各角速度検出用電極を共通のものとしながらも、これら３軸角速度を分離して独立に検出することができる。
【００４３】
図１１は、第一実施形態における駆動電極のインピーダンス応答をシミュレーションしたグラフである。また、
図１２〜１４はそれぞれ、Ｘ軸、Ｙ軸、Ｚ軸周りの角速度検出用の検出電極のインピーダンス応答をシミュレーションしたグラフである。図１１では、本実施形態によって駆動振動（輪郭振動）を励振できることが確認された。また図１２〜１４では、各検出電極の結線により３軸各々の所望の検出振動を検知できることが確認された。
【００４４】
＜２．本発明の第二実施形態＞
図１５は、第二実施形態の構成を示す斜視図である。図中、（ａ）は表面（＋Ｚ面）、（ｂ）は裏面（−Ｚ面））を示す。図示するように本実施形態の多軸検出角速度センサ構造５１０は、圧電体５２の裏面に錘構造５７、５７、・・・が備えられていることを、特徴的な構成とするものである。なお、錘構造（以下、単に「錘」とも称する。）５７の数は、図の例示に関わらず限定されない。
【００４５】
本構成により、錘５７等により慣性力が増加し、駆動周波数が低周波数側へシフトする。慣性センサは慣性力を利用するものであるため、錘５７等によるセンサの高感度化が可能となる。ここで、一般的な圧電型の角速度センサの性能指数を、式（４）に示す。
【００４６】
Ｖ２／Ｖ１＝（Ａｘ／Ａｙ）（Ｑｘ／ωｘ）（Ｑｙ／γｙ）Ω・・・式（４）
なお、Ｖ１：入力電圧、Ｖ２：出力電圧、Ａｘ：駆動振動に対する電気・機械変換器の力係数、Ａｙ：検出振動に対する電気・機械変換器の力係数、Ｑｘ：駆動モードの共振先鋭度、Ｑｙ：検出振動の共振先鋭度、ωｘ：駆動角周波数、γｙ：検出振動に対する容量比、Ω：回転角速度を表す。
【００４７】
圧電型の角速度センサにおいては、式（４）で得られる値が大きいほど高感度となる。式（４）に示されたとおり、駆動角周波数ωｘ（＝２πｆｘ）が小さいほど高感度となる。したがって、錘５７等による駆動周波数の低周波側へのシフト（低周波数化）によって、高感度化が実現されるものである。
【００４８】
なお、錘５７の形成は、たとえば矩形板に高精度スライサー等を用いた切削加工によって溝を形成する、という簡便な方法で実現できる。また、加工方法はスライサーに限らず、サンドブラストや、エッチング等、従来公知の適宜の方法により形成することができる。
【００４９】
＜３．本発明の第三実施形態＞
図１６Ａは、第三実施形態の構成を示す斜視図である。図中、（ａ）は表面（＋Ｚ面）、（ｂ）は裏面（−Ｚ面））を示す。また、
図１６Ｂは、図１６ＡのＣ−Ｃ’断面図である。これらに図示するように本実施形態の多軸検出角速度センサ構造６１０は、圧電体６２の厚み方向に分極反転が形成されていることを、特徴的な構成とする。なお、図１６Ｂにおいて、Ｐｓは圧電体６２の分極を表し、矢印は分極の向きを示す。ここでは、圧電体６２の厚み（Ｚ軸）方向の中央付近で、分極を反転させている。
【００５０】
図示するように本多軸検出角速度センサ構造６１０では、各検出区画は表裏各面に設けられた検出電極６６２、６６６、６６３、６６７等から構成されており、基準電位用検出電極の設置は不要である。つまり、分極反転を利用することで基準電位は分極反転された層となり、図５Ａで示した基準電位用の検出電極の設置が不要になり、検出電極６６２等の大面積化が可能となる。大面積化により、検出電極において検知できる信号量を増やすことができるため、高感度化につながる。
【００５１】
また、図１５に示した第三実施形態の錘構造５７付きの多軸検出角速度センサ構造６１０でも同様に、分極反転を併用することができる。錘構造５７を用いた構成の場合、電極形成のエリアすなわち検出区画のみを分極反転させることによって、錘構造５７による高感度化と分極反転による高感度化の双方の利点を、相乗的に得ることができる。
【００５２】
なお、以上述べた多軸検出角速度センサ構造を備えた多軸検出角速度センサ自体もまた、本発明の範囲内である。また、以上説明した輪郭振動を駆動振動として自励発振させるための駆動部の設けられた圧電体によるセンサ素子基体も、本発明の範囲内である。
【産業上の利用可能性】
【００５３】
本発明の多軸検出角速度センサ構造、多軸検出角速度センサ、およびセンサ素子基体によれば、簡易な構成・方式により１素子で３軸角速度を検出することができ、多軸検出角速度センサを小型化、低コスト化できる。したがって、角速度検出に係る広範な産業分野において、産業上利用性が高い発明である。
【符号の説明】
【００５４】
２、４２、５２、６２…圧電体
２９、５９、６９…固定部（接着部）
３、２３ａ、２３ｂ、５３ａ、５３ｂ、６３ａ、６３ｂ…駆動部
５、２５ａ、２５ｂ、５５ａ、５５ｂ、６５ａ、６５ｂ…検出部
５７…錘構造
１０、２１０、４１０、５１０、６１０…多軸検出角速度センサ構造
【００５５】
２４１、２４２、２４３、２４４、２４５、２４６、２４７、２４８…駆動電極
２６１、２６２、２６３、２６４、２６５、２６６、２６７、２６８…検出電極
４４１、４４２、４４３、４４４…駆動電極
４６１、４６２、４６３、４６４、４６７…検出区画
４６３１…駆動電極（表面（＋ｚ面））
４６３２…駆動電極（基準電位、表面（＋ｚ面））
４６７…駆動電極（裏面（−ｚ面））
６６２、６６３、６６６、６６７…検出電極
【図１】
2015203627.tif 000003
【図２】
2015203627.tif 000004
【図３】
2015203627.tif 000005
【図４】
2015203627.tif 000006
【図５Ａ】
2015203627.tif 000007
【図５Ｂ】
2015203627.tif 000008
【図６】
2015203627.tif 000009
【図７】
2015203627.tif 000010
【図８】
2015203627.tif 000011
【図９】
2015203627.tif 000012
【図９−２】
2015203627.tif 000013
【図１０】
2015203627.tif 000014
【図１１】
2015203627.tif 000015
【図１２】
2015203627.tif 000016
【図１３】
2015203627.tif 000017
【図１４】
2015203627.tif 000018
【図１５】
2015203627.tif 000019
【図１６Ａ】
2015203627.tif 000020
【図１６Ｂ】
2015203627.tif 000021